(57)【要約】【課題】製品の出荷数などの管理に好ましく用いることができるカウンタ付き印判を提供する。【解決手段】加算ボタン、数字の記された回転ドラム、加算ボタンを押したときに回転ドラムを回転させるラチェット機構、および桁上げ・リセット機構を有する数取機と、  前記数取機の加算ボタンに対して作動力を与える上下作動体と、  所定情報を製品に対して押印するための印字体と、  を有し、  印字体が製品に押印した時に上下作動体が加算ボタンを押すように成した印判。【選択図】図１
2015223722.tif 000002
【特許請求の範囲】
【請求項１】
加算ボタン、数字の記された回転ドラム、加算ボタンを押したときに回転ドラムを回転させるラチェット機構、および桁上げ・リセット機構を有する数取機と、
前記数取機の加算ボタンに対して作動力を与える上下作動体と、
所定情報を製品に対して押印するための印字体と、
を有し、
印字体が製品に押印した時に上下作動体が加算ボタンを押すように成した印判。
【発明の詳細な説明】
【技術分野】
【０００１】
本発明は、カウンタ付きの印判に関する。
【背景技術】
【０００２】
製品を出荷する際、出荷する製品の梱包等には、検査日時、保証期限、賞味期限、製品番号、シリアルナンバ等の製品管理情報がスタンプ装置により押印される。この押印作業の中では、押印回数を計数することによって製品の出荷数を管理することが行われている。
【０００３】
特許文献１は、年および月ならびに日を示す印字および複数の数字の印字を複数列のドラムあるいはベルト部材の外周上に配置される押印部と、前記ドラムあるいはベルト回転させ任意の前記印字を前記押印部に位置決めする選択ノブと、前記押印部と外装ケースとの間を摺動しばね圧で該外装ケースから突出するとともに被押印部の周囲を該ばね圧で押さえる押圧部と、この押圧部が前記ばね圧に抗して押され前記外装ケースに引き込まれるのを検知する検知手段と、前記押圧部が引き込まれる毎に前記検知手段の信号を入力し回数を計数するカウンタ部と、このカウンタ部の出力を入力し前記回数をデジタルで表示する表示部とを備えることを特徴とする押印器を開示している。
【０００４】
特許文献２は、所定情報を製品に対して押印するスタンプ部材と、上記スタンプ部材による押印回数を計数し押印回数データを生成するカウンタと、使用者の使用者識別データを記憶するメモリと、上記カウンタが計数した押印回数データが所定値になったかを判定する判定手段と、上記押印回数データが所定値になったとき、使用者に対して告知する告知手段とを備えるスタンプ装置を開示している。
【０００５】
特許文献３は捺印数を連続式にカウントするカウンターと、カウンターに対して作動力を与える上下作動体と、印字体とを収納した印判を、上端が開口し底面にスタンプパッドを有する印判収納部を備えたスタンドに載置させたスタンド付き印判において、上下作動体下端縁を印字体の印字面以下に位置させると共に、印判収納部底面に設けたスタンプパッド上面と上下作動体下端縁が当接しないように、上下作動体下端縁を収納する上下作動体収納穴を印判収納部底面に設けたことを特徴とするスタンド付き印判を開示している。
【先行技術文献】
【特許文献】
【０００６】
【特許文献１】特開平９−８６０２４号公報
【特許文献２】特開２００５−１９３５１７号公報
【特許文献３】特開２００５−２３８５３６号公報
【発明の概要】
【発明が解決しようとする課題】
【０００７】
本発明の課題は、カウンタ付きの印判を提供することである。
【課題を解決するための手段】
【０００８】
前記課題を解決するために検討した結果、  加算ボタン、数字の記された回転ドラム、加算ボタンを押したときに回転ドラムを回転させるラチェット機構、および桁上げ・リセット機構を有する数取機と、
前記数取機の加算ボタンに対して作動力を与える上下作動体と、
所定情報を製品に対して押印するための印字体と、
を有し、
印字体が製品に押印した時に上下作動体が加算ボタンを押すように成した印判。
を完成するに至った。
【発明の効果】
【０００９】
本発明の印判は、押印回数を正確に計数することができる。本発明の印判を用いることによって、製品の出荷数の管理を正確且つ簡単に行うことができる。ラチェット機構によって数取りするので、電源などを要せず、また水分、湿気などによる故障トラブルがほとんどない。
【図面の簡単な説明】
【００１０】
【図１】本発明の一実施形態に係る印判を示す図である。
【図２】図１の印判にて押印したときの状態を示す図である。
【発明を実施するための形態】
【００１１】
本発明に係る印判５は、数取機１と、  前記数取機の加算ボタン２に対して作動力を与える上下作動体３と、  所定情報を製品に対して押印するための印字体４とを有する。
【００１２】
数取器１は、加算ボタン２、数字の記された回転ドラム、加算ボタンを押したときに回転ドラムを回転させるラチェット機構、および桁上げ・リセット機構を有するものである。
数取器１は、金属またはプラスチックなどのケースの中に数字の記された回転ドラムが収納されている。度数表示は窓から回転ドラム上の数字を見ることで確認することができる。窓は透明なプラスチックの板で保護されていてもよい。そして、ケースの外側に在る加算ボタン２を押すと、その押す力が、ケースの中に収納されている、加算機構に伝わり、回転ドラムを回転させ、１回の押しにつき回転ドラム上の数字が一つ増えるようになっている。
また、ケースの外側にあるリセットつまみを回すと、その回転力がリセット機構に作用し、回転ドラム上の数字をリセットすることができる。
【００１３】
加算機構は、加算ボタンを押すときにだけ計数機構に力が伝わり数字が動くラチェット機構となっている。通常、ボタンを押した方向となる上向きに数字のドラムが動くようになっている。回転ドラムのギアにはツメが嵌っていて、数字が確実に変わるとツメがはじけて機械的な音が出るようになっていることが好ましい。加算ボタンには内部に4本の少しずつ長さの違うツメがあり、1の位のツメはその数字ドラムに必ず当たるため加算ボタンにより必ず1の位の数字ドラムが動くようになっている。一方の数字ドラムは、数字の文字盤のすぐ脇にそれぞれツメの引っかかるくぼみが付いている。9の数字でその上の桁の数字を同時に動かす桁上げのためのくぼみが作られており、大きい位の数字に行くほどくぼみの深みが大きくなっている。例えば「0999」の数字で加算ボタンを押したときには内蔵のスプリングにより一番深いくぼみに加算ボタンのツメが引かれることにより、すべての数字のドラムが動き「1000」となるように、桁上げの処理が行なわれる仕組みになっている。
【００１４】
リセットつまみは、通常の動作では桁上げがない限りは数字のドラムは隣り合って連動して動くことはないが、リセットつまみを数字の回転する向きに回すと小さい数字のドラムから回転をし始め、1回転させると「0000」となり数字をリセットさせることができる。このリセットつまみは一方向に回した場合だけ動くようになっており、反対に回しても何も起こらない。
【００１５】
印判５は、印字体４を嵌装した本体枠６とからなる。ここで、印字体４としては、原料ゴム、加硫剤、充填剤、軟化剤、着色剤、老化防止剤、その他の添加剤などから構成されるゴム印や、インキを吸蔵できる様にスポンジゴム等の無数の連続気孔を有した多孔性印材を用いることができる。
【００１６】
印判５のノブ７と印字体４と上下作動体３とは連動して上下動するようになっている。本体枠６はノブ７と印字体４と上下作動体３との上下動にしたがって、高さが伸び縮みするようになっている。図１に示す印判５においては印字体は本体枠の中ほどの高さに在る。ノブを上から下に向かって押すと、印字体が本体枠の底に向かって移動し、底に達したときに対象面に印字体が接触して押印できるようになっている。印字体の下降に連動して上下作動体３も下降し、印字体が底に達したときに上下作動体３は加算ボタン２を押し下げ、加算機構を働かせて、数字を一つ増やす（図２参照）。上下作動体３の押しボタン２に接する部分にゴムやばねなどの弾性体を設置して、上下作動体と加算ボタンとの衝突力を緩和することができる。
【００１７】
このように、本発明の印判は、押印した回数を数取機にて自動計測できるようになっている。
【符号の説明】
【００１８】
１：数取機
２：加算ボタン
３：上下作動体
４：印字体
５：印判
６：本体枠
７：ノブ
【図１】
2015223722.tif 000003
【図２】
2015223722.tif 000004